(57)【要約】
【課題】ケーブル端子に対する着脱の作業性がよく、しかも耐久性のよいケーブル端子絶縁カバーを得る。
【解決手段】ケーブル２，３の装置への付け替え作業時に使用するケーブル端子絶縁カバー４は、カバー本体１３と固定ベルト手段とにより構成する。カバー本体１３は、ケーブル終端部に設けた舌状端子５を収容する先端部６、ケーブルの芯線クランプ部７を収容する中間部８、及びケーブルの被覆付き末端９を収容しかつスリット１０により半径方向外方及び内方に撓むことができるフラップ１１を形成した基端部１２よりなり難燃性プラスチックで一体成形する。先端部６、中間部８、基端部１２の内面には軸線方向に延在する隆起リブ１５を形成する。固定ベルト手段のベルトはフラップを引き絞って基端部１２をケーブルの被覆付き末端９に固定する。
【選択図】図２
0003100081.tif 000002
【実用新案登録請求の範囲】
【請求項１】
　ケーブルの装置端子への付け替え作業時に使用するケーブル端子絶縁カバーにおいて、
　ケーブル終端部に設けた舌状端子を収容する先端部、ケーブルの芯線クランプ部を収容する中間部、及びケーブルの被覆付き末端を収容するとともに、スリットによって半径方向外方及び内方に撓むことができるフラップを形成した基端部よりなり難燃性プラスチックで一体成形したカバー本体と、
　前記フラップを引き絞って前記基端部を前記ケーブルの被覆付き末端に固定する固定ベルト手段と
を具え、前記先端部、中間部、基端部の内面に軸線方向に延在する隆起リブを形成したことを特徴とするケーブル端子絶縁カバー。
【請求項２】
　前記カバー本体は、ケーブル終端部の形状に対応する形状に形成し、一方の側面をほぼ平坦にし、前記先端部を偏平にし、前記中間部及び基端部は前記一方の側面から反対側の側面に向かって隆起する蒲鉾状の形状にし、前記基端部は前記中間部よりも肉薄となるよう外面を前記基端部から縮径し、前記基端部と前記中間部との間に段差を生ずるようにした請求項１記載のケーブル端子絶縁カバー。
【請求項３】
　前記基端部の遊端に半径方向外方に突出するフランジを設け、前記平坦な側面側で前記フランジと前記中間部との間を架橋するブリッジを一体に形成し、前記ブリッジで生ずる隙間に前記固定ベルト手段を保持するようにした請求項１又は２記載のケーブル端子絶縁カバー。
【請求項４】
　前記固定ベルト手段はマジックテープ（登録商標）と、このマジックテープの一方の端部に固定する折り返しフープとにより構成した請求項１乃至３のうちのいずれか一項に記載のケーブル端子絶縁カバー。
【請求項５】
　前記マジックテープの折り返しフープの外側輪郭にテーパを付けた請求項１乃至４のうちのいずれか一項に記載のケーブル端子絶縁カバー。
【考案の詳細な説明】
【技術分野】
【０００１】
　本考案は、ケーブルの装置端子への付け替え作業時に使用するケーブル端子絶縁カバーに関するものである。
【背景技術】
【０００２】
　従来、このようなケーブル端子絶縁カバーは、新しいケーブルの端子又は古いケーブルの端子に被せ、特に、活線状態にある配電盤又は蓄電装置等の電力装置における端子へのケーブル付け替え作業を行うもので、難燃性織物の袋又はゴム製のカバーを使用していた。
【考案の開示】
【考案が解決しようとする課題】
【０００３】
　しかし、従来の織物の袋は、装置の他の部分に引っ掛かって自他を損傷したり、長い期間使用していると磨耗によって破れを生じたりし、またケーブル端子に紐で縛り付けるまでの固定及び取り外しの作業性が悪かった。ゴム製のカバーは、ケーブル端子に対する密着性は優れているが、着脱に時間がかかるという欠点があった。
【０００４】
　従って、本考案の目的は、ケーブル端子に対する着脱の作業性がよく、しかも耐久性のよいケーブル端子絶縁カバーを得るにある。
【課題を解決するための手段】
【０００５】
　この目的を達成するため、本考案ケーブル端子絶縁カバーは、
　ケーブル終端部に設けた舌状端子を収容する先端部、ケーブルの芯線クランプ部を収容する中間部、及びケーブルの被覆付き末端を収容するとともに、スリットによって半径方向外方及び内方に撓むことができるフラップを形成した基端部よりなり難燃性プラスチックで一体成形したカバー本体と、
　前記フラップを引き絞って前記基端部を前記ケーブルの被覆付き末端に固定する固定ベルト手段と
を具え、前記先端部、中間部、基端部の内面に軸線方向に延在する隆起リブを形成したことを特徴とする。
【考案の効果】
【０００６】
　本考案ケーブル端子絶縁カバーによれば、ケーブル終端部に挿入するとき、先端部、中間部、基端部の内面に設けた軸線方向に延在する隆起リブが、ケーブルの舌状端子、芯線クランプ部、被覆付きケーブル末端に、順次密着しつつ挿入されるため、着脱を簡単かつ迅速に行うことができ、装着後には固定ベルト手段で確実に固定することができる。
【考案を実施するための最良の形態】
【０００７】
　本考案の好適な実施例においては、カバー本体は、ケーブル終端部の形状に対応する形状に形成し、一方の側面をほぼ平坦にし、前記先端部を偏平にし、前記中間部及び基端部は前記一方の側面から反対側の側面に向かって隆起する蒲鉾状の形状にし、前記基端部は前記中間部よりも肉薄となるよう外面を前記基端部から縮径し、前記基端部と前記中間部との間に段差を生ずるようにする。
【０００８】
　本考案の他の好適な実施例においては、前記基端部の遊端に半径方向外方に突出するフランジを設け、前記平坦な側面側で前記フランジと前記中間部との間を架橋するブリッジを一体に形成し、前記ブリッジで生ずる隙間に前記固定ベルト手段を保持する。この場合、固定ベルト手段はマジックテープ（登録商標）と、このマジックテープの一方の端部に固定する折り返しフープとにより構成すると好適である。また、マジックテープの折り返しフープの外側輪郭にテーパを付けると好適である。
【実施例】
【０００９】
　次に、図面につき本考案の好適な実施例を説明する。
【００１０】
　図１は、装置１に固定されている既設ケーブル２と、この既設ケーブル２を交換しようとしている新たなケーブル３とを示す。交換前に、この新たなケーブル３の終端部に本考案によるケーブル端子絶縁カバー４を固定しておく。これにより、活線状態にある装置１におけるケーブル付け替え作業で、作業者の感電及び装置自体の短絡事故を防止することができる。
【００１１】
　本考案によれば、ケーブル端子絶縁カバー４は、ケーブル終端部に設けた舌状端子５を収容する先端部６、ケーブルの芯線クランプ部７を収容する中間部８、及びケーブルの被覆付き末端９を収容するとともに、スリット１０によって半径方向外方及び内方に撓むことができるフラップ１１を形成した基端部１２よりなるカバー本体１３を難燃性かつ非導電性のプラスチックで一体成形する。更に、フラップ１１を引き絞って基端部１２をケーブルの被覆付き末端９に固定する固定ベルト手段１４を設ける。
【００１２】
　先端部６、中間部８、基端部１２の内面に軸線方向に延在する複数個の隆起リブ１５を形成する。ケーブル端子絶縁カバー４をケーブル終端部に装着するとき、これら隆起リブ１５がケーブル終端部に密着するとともに、カバーを補強する。
【００１３】
　図２に本考案による好適な実施例のケーブル端子絶縁カバー４の詳細を示す。カバー本体１３は、ケーブル終端部の形状に対応する形状に形成し、一方の側面をほぼ平坦にし、先端部６を偏平にし、中間部８及び基端部１２は平坦な一方の側面から反対側の側面に向かって隆起する蒲鉾状の形状にする。また、基端部１２は中間部８よりも肉薄となるよう外面を縮径する。これにより、中間部８と基端部１２との間に段差１６を生じ、この段差１６はテーパを付けると好適である。
【００１４】
　基端部１２の遊端には半径方向外方に突出するフランジ１７を設ける。平坦な一方の側面側でフランジ１７と中間部８との間を架橋するブリッジ１８を一体に形成する。このブリッジ１８で生ずる隙間に固定ベルト手段１４のベルト１４′を挿通することにより固定ベルト手段１４を保持することができる。
【００１５】
　図示の実施例では、固定ベルト手段１４を、マジックテープ（登録商標）１４′と、このマジックテープの一方の端部に固定する折り返しフープ１９とによって構成する。この折り返しフープ１９でマジックテープを反転させることにより、基端部１２を包囲しているマジックテープの作用面に掛かり止めすることができる。図示しないが、マジックテープの折り返しフープ１９の外側輪郭にテーパを付けと好適である。
【産業上の利用可能性】
【００１６】
　本考案は、例えば、電話交換局内の配電盤又はバッテリ等の電力装置の端子に接続する電力ケーブルの活線付け替え作業に使用する。
【図面の簡単な説明】
【００１７】
【図１】装置における新旧のケーブルを示し、新しく付け替えるケーブルに本考案ケーブル端子絶縁カバーを装着した状態を示す説明図である。
【図２】本考案によるケーブル端子絶縁カバーの側面図である。
【符号の説明】
【００１８】
　１　装置
　２　既設ケーブル
　３　交換ケーブル
　４　ケーブル端子絶縁カバー
　５　舌状端子
　６　先端部
　７　芯線クランプ部
　８　中間部
　９　ケーブルの被覆付き末端
１０　スリット
１１　フラップ
１２　基端部
１３　カバー本体
１４　固定ベルト手段
１４′ベルト
１５　隆起リブ
１６　段差
１７　フランジ
１８　ブリッジ
１９　折り返しフープ
【図１】
0003100081.tif 000003
【図２】
0003100081.tif 000004